(57)【要約】【課題】ＤＩＬ方式の逆装填型カメラのパトローネ室からフイルムパトローネが不用意に落下することを防止する。【解決手段】パトローネ室５の内周壁には、落下防止用突起９が一体成形されている。フイルムパトローネ７は、二点鎖線で示す装填位置に装填されている。カメラの底面が下向きの状態で裏蓋が開かれると、フイルムパトローネ７は落下を始め、フイルムパトローネ７の上キャップ７ｃがパトローネ室５側の落下防止用突起９に係合した時点で落下を止める。このとき、フイルムパトローネ７の下部がカメラ本体から突出した状態となる。フイルムパトローネ７の下部がユーザの手で保持されて下方へ引き出されることで、上キャップ７ｃの外周縁が落下防止用突起９を乗り越える。【選択図】        図３
2004302275.tif 000002
【特許請求の範囲】
【請求項１】
円筒状に丸めた胴体の上下端を包むように胴体よりも外径が大きいキャップが嵌められ、その内部に写真フイルムをスプールに巻き付けて収納したフイルムパトローネが使用され、装填蓋を開放したときにカメラボディの底面に露呈する開口を通して前記フイルムパトローネがスプールの軸方向からパトローネ室に装填されるカメラのパトローネ室構造において、
前記パトローネ室の内周壁に、パトローネ室に装填されたフイルムパトローネのキャップの外周縁と胴体の外周壁との間まで突出した突起を設け、
パトローネ室内のフイルムパトローネが自重で落下する途中で、前記突起とキャップとの係合によりフイルムパトローネの移動を阻止するとともに、フイルムパトローネの装填及び取り出し操作時にフイルムパトローネに外力を加えたときには、前記突起がキャップの外周縁を乗り越えてフイルムパトローネの移動が許容されるようにしたことを特徴とするカメラのパトローネ室構造。
【請求項２】
前記突起は、パトローネ室の内周壁に一体成形されていることを特徴とする請求項１記載のカメラのパトローネ室構造。
【発明の詳細な説明】
【０００１】
【発明の属する技術分野】
本発明は、パトローネが軸方向に装填されるドロップインローディング方式（以下、ＤＩＬ方式という）のカメラのパトローネ室構造に関するものである。
【０００２】
【従来の技術】
ＤＩＬ方式のカメラでは、装填蓋を開放するとカメラボディの底面にパトローネ室に連なる装填用の開口が露呈し、この開口を通してフイルムパトローネを軸方向に装填したり取り出したりすることができる。１３５タイプのフイルムパトローネは、未使用状態で所定の長さ分だけフイルムリーダー部がパトローネ本体から突出している。装填蓋を開けると、カメラボディの底面には前記開口に連なるようにスリットも形成され、フイルムパトローネを装填するときにはフイルムリーダー部はスリットを通して挿入され、その先端部がフイルム巻き取り室に導かれるようになっている（例えば、特許文献１参照）。
【０００３】
従来のＤＩＬ方式のカメラは、カメラボディの背面側から視たときに、パトローネ室が左側、フイルム巻き取り室が右側となる順装填型となっている。１３５タイプのフイルムパトローネを順装填すると、略円筒状のパトローネ本体の一方の端面から突出したスプールの一部がカメラボディの底面側にくるため、装填蓋を開放した状態では、そのスプールの一部が装填用の開口付近に位置する。したがって、装填蓋の開放時にパトローネ室からフイルムパトローネが不用意に抜け落ちることがないように、パトローネ室内に弾性力でフイルムパトローネを留めておくフリクション機構などを併設しておいても、パトローネ室から撮影済みのフイルムパトローネを取り出すときにはスプールの一部を摘んで引き出し操作することができるので、フイルムパトローネの装填及び取り出し操作に何ら支障はない。
【０００４】
【特許文献１】
実公平４−１４７３９号公報
【０００５】
【発明が解決しようとする課題】
ところが、ＤＩＬ方式のカメラでフイルムパトローネを逆装填する構造にする場合には新たな問題が生じる。カメラボディの背面側から視てフイルムパトローネ室が右側となる逆装填型では、パトローネ本体から突出したスプールの一部がカメラボディの上面側にくるため、カメラボディの底面側の構造をコンパクトにまとめてカメラボディの高さ寸法を減らす上で効果的ではあるが、ＤＩＬ方式の場合、カメラボディ底面の装填用の開口からはフイルムパトローネが全く突出しなくなる。したがって、装填蓋の開放時にフイルムパトローネが不用意に落下することを防ぐために、順装填型のものと同様にパトローネ室にフリクション機構を併設してしまうと、装填用の開口付近にフイルムパトローネ取り出し時の指がかりがないため、その操作がしにくくなるという問題が生じてくる。
【０００６】
本発明は以上を考慮してなされたもので、ＤＩＬ方式の逆装填型カメラにおいて格別なコストアップを伴うことなく、装填蓋の開放時にフイルムパトローネの不用意な落下を防ぐとともに、その取り出し操作も簡便に行うことができるようにしたパトローネ室構造を提供することを目的とする。
【０００７】
【課題を解決するための手段】
上記目的を達成するために、本発明のカメラのパトローネ室構造によれば、パトローネ室の内周壁に、パトローネ室に装填されたフイルムパトローネのキャップの外周縁と胴体の外周壁との間まで突出した突起を設け、パトローネ室内のフイルムパトローネが自重で落下する途中で、前記突起とキャップとの係合によりフイルムパトローネの移動を阻止するとともに、フイルムパトローネの装填及び取り出し操作時にフイルムパトローネに外力を加えたときには、前記突起がキャップの外周縁を乗り越えてフイルムパトローネの移動が許容されるようにしたことを特徴とするものである。
【０００８】
【発明の実施の形態】
図１は、本発明を実施したＤＩＬ方式の逆装填型カメラの背面斜視図を示している。カメラ１は、カメラ本体２と、カメラ本体２の裏面を覆う裏蓋３から構成されている。カメラ本体２は、中央にアパーチャ４を有し、アパーチャ４の左右にパトローネ室５と、フイルム巻き取り室６とを有している。パトローネ室５はカメラ本体２の底面側に装填口を有しており、フイルムパトローネ７が装填口からパトローネ室５に軸方向に装填されるようになっている。裏蓋３は、フイルムパトローネ７を装填、或いは取り出しする際に開閉される装填蓋として利用される。
【０００９】
フイルムパトローネ７は、３５ミリフイルム８がロール状に巻き付けられたスプール７ａ、スプール７ａを回動自在に内蔵したパトローネ本体７ｂ、パトローネ本体７ｂの上下端を包むように嵌められた上キャップ７ｃ及び下キャップ７ｄからなる。上下のキャップ７ｃ，  ７ｄの外径はパトローネ本体７ｂの外径よりも大きく形成されており、パトローネ本体７ｂと上下のキャップ７ｃ，  ７ｄとの間には段差Ｇ（（パトローネ本体７ｂの外径−上下のキャップ７ｃ，  ７ｄの外径）／２）がある（図３参照）。
【００１０】
図２は、カメラ本体２の本体基部１０の背面及び底面を示す平面図である。パトローネ室５の背面に設けられた開口５ａから覗く内壁、且つ、軸方向の中央部には落下防止用突起９が設けられている。落下防止用突起９は、パトローネ室５の内周壁に一体成形されており、フイルムパトローネ７の上キャップ７ｃの外周縁に係合する。また、落下防止用突起９は、フイルムパトローネ７の一部を手で保持して軸方向に力を加えることで上キャップ７ｃの外周縁を乗り越える高さｔに形成されている。なお、落下防止用突起９の高さｔは、パトローネ室５とフイルムパトローネ７との位置関係、及び、フイルムパトローネ７の段差Ｇとから決定し、周囲の内周壁より０．４から０．９ｍｍまでの間の高さとすることが望ましい（図３参照）。
【００１１】
パトローネ室５の上面、且つ、落下防止用突起９の垂直方向には扇状の金型用開口１１が設けられている。本体基部１０の金型形成時には、金型用開口１１とパトローネ室５の装填口とから棒状の金型部材が挿入され、落下防止用突起９がパトローネ室５の内周壁に一体成形される。
【００１２】
図３は、パトローネ室５及びフイルムパトローネ７の断面図を示している。フイルムパトローネ７は、裏蓋３が閉じているときには二点鎖線で示す装填位置に装填されている。カメラ１の底面が下向きの場合、裏蓋３が開けられるとともに、フイルムパトローネ７は落下し始める。そして、フイルムパトローネ７の上キャップ７ｃの外周縁が落下防止用突起９に係合した時点で落下が止まる。このとき、フイルムパトローネ７の下部がパトローネ室５から突出した状態となる。フイルムパトローネ７の下部がユーザの手で保持されて下方へ引き出されることで、上キャップ７ｃの外周縁が落下防止用突起９を乗り越える。
【００１３】
次に、上記構成による作用について説明する。ユーザは、全ての写真フイルムの撮影を終えた後、写真フイルムを取り出すには、カメラ１の側面のスライドボタン２ａをスライドさせて裏蓋３を開く。このとき、カメラ１の底面が下向きになっていると仮定する。フイルムパトローネ７は、装填位置から、上キャップ７ｃの外周縁がパトローネ室５側の落下防止用突起９に係合するまで落下し、フイルムパトローネ７の下部がカメラ本体２から突出した状態で止まる（図３）。ユーザは、カメラ本体２から突出したフイルムパトローネ７の下部を手で保持して下方へ引き出すことで、フイルムパトローネ７をパトローネ室５から安全に取り出すことができる。
【００１４】
ユーザは、写真フイルムを装填するには、裏蓋３を開いてパトローネ室５の装填口からフイルムパトローネ７を挿入する。このとき、カメラ１の底面が上向きになっていると仮定する。フイルムパトローネ７の上キャップ７ｃの外周縁が落下防止用突起９に係合し、フイルムパトローネ７の下部がカメラ本体２から突出した状態で止まる。ユーザは、カメラ本体２から突出したフイルムパトローネ７の下部を手で押し下げてフイルムパトローネ７を装填位置に装填し、裏蓋３を閉じる。
【００１５】
上述したように、パトローネ室５の内周壁に、パトローネ室５に装填されたフイルムパトローネ７の上キャップ７ｃの外周縁とパトローネ本体７ｂの外周壁との間まで突出した落下防止用突起９を設け、パトローネ室５内のフイルムパトローネ７が自重で落下する途中で、落下防止用突起９と上キャップ７ｃとの係合によりフイルムパトローネ７の移動を阻止するとともに、フイルムパトローネ７の装填及び取り出し操作時にフイルムパトローネ７に外力を加えたときには、落下防止用突起９が上キャップ７ｃの外周縁を乗り越えてフイルムパトローネ７の移動が許容されるようにしたから、格別なコストアップを伴うことなく、裏蓋３の開放時にフイルムパトローネ７の不用意な落下を防ぐとともに、その取り出し操作も簡便に行うことができる。
【００１６】
上記実施形態によれば、フイルムパトローネ７の上キャップ７ｃを係合させる手段としてパトローネ室５の内周壁に落下防止用突起９を形成したが、他の手段としてはネジを利用してもよい。この場合、パトローネ室の外周壁にネジを貫通させるネジ穴を設ける。ネジ穴には、ネジ穴の深さより長いネジが取り付けられる。取り付けられたネジは、パトローネ室の壁を貫通して内側に突出し、落下防止用突起として機能する。また、ネジ穴にネジの代わりにピンを挿入し、そのピンを治具で固定するようにしてもよい。
【００１７】
【発明の効果】
以上のように、本発明によれば、パトローネ室の内周壁に、パトローネ室に装填されたフイルムパトローネのキャップの外周縁と胴体の外周壁との間まで突出した突起を設け、パトローネ室内のフイルムパトローネが自重で落下する途中で、前記突起とキャップとの係合によりフイルムパトローネの移動を阻止するとともに、フイルムパトローネの装填及び取り出し操作時にフイルムパトローネに外力を加えたときには、前記突起がキャップの外周縁を乗り越えてフイルムパトローネの移動が許容されるようにしたから、ＤＩＬ方式の逆装填型カメラにおいて格別なコストアップを伴うことなく、装填蓋の開放時にフイルムパトローネの不用意な落下を防ぐとともに、その取り出し操作も簡便に行うことができる
【図面の簡単な説明】
【図１】本発明を実施したカメラの背面斜視図である。
【図２】本体基部の背面及び底面を示す平面図である。
【図３】パトローネ室及びフイルムパトローネの断面図である。
【符号の説明】
１  カメラ
５  パトローネ室
７  フイルムパトローネ
７ｂ  パトローネ本体
７ｃ  上キャップ
９  落下防止用突起
【図１】
2004302275.tif 000003
【図２】
2004302275.tif 000004
【図３】
2004302275.tif 000005